(57)【要約】【課題】エアリアルカムユニット全体に対する不安定な作動状態を解消すること。【解決手段】本発明のエアリアルカムユニットは、前、後直線移送されるカムスライドのスライド体と、該スライド体の下端にスライド可能に対応位置されたカムスライド本体の間にカムスライドの偏心駆動防止手段がさらに具備されると共に、前記偏心駆動防止手段を通じて前記スライド体とカムスライド本体が相互締結固定されたことを特徴とする。【選択図】図１
2012166266.tif 000002
【特許請求の範囲】
【請求項１】
Ｖ字断面形状のスライド面を有してカムドライブ支持ベースに固定されるカムドライブと、該カムドライブのスライド面にスライディング可能になるように接触されると共に前記スライド面と対応される同一断面形状のスライド面を有するカムスライドと、該カムスライドのスライド面とカムドライブのスライド面が接触されて、前記カムドライブのスライド面に沿ってカムスライドのスライド作用がなされるように前記カムスライドを支持するカムスライド支持ベースで構成されて、前記カムスライド支持ベースが固定された上形側上形ベースの下降時にカムドライブのスライド面にカムスライドのスライド面が対応接触されて前記カムドライブのスライド面に沿ってカムスライドが前、後でスライド作動するエアリアルカムユニットにおいて、
前記上形ベースの下降作用によるカムスライドのスライド面がカムドライブのスライド面に対応接触される時、偏心によるカムスライドとカムドライブの各スライド面がお互いに同一線上に位置されることができずに左、右側のうちで一側にかたよって片接触されることを防止すると共に定位置に移送調整してカムスライドがスライドされるように前記カムスライド支持ベースのベース本体に形成された作動溝に内挿されて前、後直線移送されるカムスライドのスライド体と、該スライド体の下端にスライド可能に対応位置されたカムスライド本体の間にカムスライドの偏心駆動防止手段がさらに具備されると共に、前記偏心駆動防止手段を通じて前記スライド体とカムスライド本体が相互締結固定されたことを特徴とするカムスライドの偏心駆動防止手段が具備されたエアリアルカムユニット。
【請求項２】
前記作動溝の両側に連結されるベース本体の両側壁には、スライド体の両側面がスライド移送可能な差し込み公差として離隔されるように設置されると共に、前記上形ベースの下降作用時に偏心状態でカムスライドのスライド面がカムドライブのスライド面に対応接触されても前記カムスライドのスライド体とカムスライド本体との間に設置されたカムスライドの偏心駆動防止手段を通じて前記ベース本体の作動溝と対応されるスライド体の上端中央に設置されたスプリング及びスライド体が前記カムスライド支持ベースのベース本体内で左、右側のうちで一側に偏らないで中心が定位置に維持される状態で構成されたことを特徴とする請求項１に記載のカムスライドの偏心駆動防止手段が具備されたエアリアルカムユニット。
【請求項３】
前記カムスライドの偏心駆動防止手段は、上端中央に作動溝と対応される半円周溝が具備されたスライド体の内部中央に貫通されたボルト挿入ホールと、
前記ボルト挿入ホールを通じて挿入貫通されると共に直径段差を有しながらカムスライド本体に末端が締結されるスライド体固定ボルトと、
前記カムスライド本体の上端にスライド体固定ボルトの末端が締結されるように形成されたボルト締結ホールと、
前記ボルト挿入ホールとスライド体固定ボルトとの間の直径差によって形成されて、上形ベースの下降作用によるカムスライドのスライド面がカムドライブのスライド面に対応接触時に偏心によるカムスライドのスライド面がカムドライブのスライド面と同一線上に位置されることができずに左、右側のうちで一側にかたよって片接触されることを防止すると共に定位置に移送調整する間隙で構成されたことを特徴とする請求項１または２に記載のカムスライドの偏心駆動防止手段が具備されたエアリアルカムユニット。
【請求項４】
前記ボルト挿入ホールを通じたカムスライド本体のボルト締結ホールにスライド体固定ボルトの締結時に前記ボルト締結ホールの深さ程度スライド体固定ボルトの頭部下端がボルト挿入ホールの上端から突出離隔されて間隙が形成されたことを特徴とする請求項３に記載のカムスライドの偏心駆動防止手段が具備されたエアリアルカムユニット。
【発明の詳細な説明】
【技術分野】
【０００１】
本発明は、カムドライブによってカムスライドをすべり運動させて、カムスライドに装着されたピアシングパンチとボタンダイの対応作用を通じて鉄板などの被加工物をパンチングするエアリアルカムユニットに関するものであり、より詳細には、カムドライブ支持ベース、カムドライブ、カムスライド、カムスライド支持ベース、復帰手段でなされたエアリアルカムユニットのうちで前記カムスライド支持ベースのベース本体に形成された作動溝に内挿されてＡ方向である前、後に直線移送されるカムスライドのスライド体と該スライド体の下端にスライド可能に対応位置されたカムスライド本体との間にカムスライドの偏心駆動防止手段を設置すると共に、前記偏心駆動防止手段を通じて前記スライド体とカムスライド本体が相互締結固定されるように構成することで、上形ベースの下降作用によるカムスライドのスライド面がカムドライブのスライド面に対応接触される時、偏心によるカムスライドとカムドライブの各スライド面が同一線上に位置されることができずに、左、右側のうちで一側にかたよって片接触されることを防止すると共に定位置に移送調整してカムスライドが、安定的にスライド作用がなされるようにして、特に、前記カムスライド支持ベースのベース本体に形成された作動溝と該作動溝に内挿された状態でＡ方向である前、後に直線移送されるカムスライドのスライド体の両側面の間が差し込み公差程度の間隙でなされているために、従来のエアリアルカムユニットのように前記作動溝とスライド体の両側面に形成された過多間隙の間でほこりや異物が立ち込めて、これを通じて結合誤差や配置誤差の偏心によるカムスライドとカムドライブの各スライド面が片接触されることを遮断するための定位置移送調整作用が円滑になされないなどエアリアルカムユニット全体に対する不安定な作動状態を解消することはもちろん、前記偏心によるカムスライドとカムドライブの片接触時にスプリングに内挿された状態でスライド体の半円周溝に装着されたガイドスクリューとスプリングとの間の干渉を遮断しながら前記片接触時にもガイドスクリューに対するスプリングを定位置に維持させることができるようにすると共に、前記作動溝とスライド体の両側面に形成された過多間隙を塞ぐための別途の部材らを使用することも防止して、前記過多間隙の間に別途部材の設置使用による不必要で、複雑な構造的問題点を単純な構造で改善させるようにしたカムスライドの偏心駆動防止手段が具備されたエアリアルカムユニットに関するものである。
【背景技術】
【０００２】
一般に、カムドライブによってカムスライドをすべり運動させてカムスライドに装着されたピアシングパンチとボタンダイの対応作用を通じて鉄板などの被加工物をパンチング加工する装置として、プレス金型の上、下形の間にぶら下げられた状態で固定されるエアリアルカムユニットが使用されているが、この時、前記エアリアルカムユニットに対して手短に説明すれば次のようである。
【０００３】
前記のように従来のエアリアルカムユニットの場合、２００６年０７月２４日付けで特許登録されたカム装置(特許登録番号第０６０７０４７号)が提案されたが、これは、Ｖ字断面形状のスライド面を有してカムドライブ支持ベースに固定されるカムドライブと、該カムドライブのスライド面にスライディング可能になるように接触されると共に前記スライド面と対応される同一断面形状のスライド面を有するカムスライドと、該カムスライドのスライド面とカムドライブのスライド面が接触されて、前記カムドライブのスライド面に沿ってカムスライドのスライド作用がなされるように前記カムスライドを支持するカムスライド支持ベースで構成されて、前記カムスライド支持ベースが固定された上形側上形ベースの下降時にカムドライブのスライド面にカムスライドのスライド面が対応接触されて、前記カムドライブのスライド面に沿ってカムスライドがＡ方向である前、後でスライド作動する基本的構成と共に、前記特許登録公報に記載した図１乃至図９に示されたところのように、前記カムスライド支持ベースのベース本体に形成された作動溝の両側面とカムスライドのスライド体の両側面の間に形成された間隙によって前記カムスライド支持ベースのベース本体に対して前記カムスライドがＢ方向に移動可能になるように構成されている。
【０００４】
さらに、前記間隙に対して、それぞれ滑り板に覆われられて、その滑り板と共にカムスライド支持ベースまたはカムスライドにねじによって固着した板スプリングまたはウレタンゴム板でなされる弾性手段を配置することもできるが、この時前記滑り板及び弾性手段を特許登録公報に記載した図８のようにカムスライドのスライド体の両側面に滑り板と弾性手段を順次に接触位置させるか、または図９のようにカムスライドのスライド体の両側面に弾性手段と滑り板を順次に接触位置させる。
【０００５】
このように構成された従来のエアリアルカムユニット(カム装置)の場合、カムスライドをカムスライド支持ベースから引き離してプレス金型のうちで上形がない状態でカムドライブ上にカムスライドを置いておいて、カムスライドに結合されたピアシングパンチと下形に設置されたボタンダイとの位置合わせ、すなわち、切削刃の刃合わせに関する利点をいかすことができるし、さらに上形ベースに対するカムスライド支持ベースの結合誤差及び前記カムスライド支持ベースに対するカムスライドの結合誤差や、プレス金型の上形と下形の配置誤差による偏心駆動が発生しても、カムドライブとカムスライドの各スライド面が相互定位置で移送調整されて、円滑な面接触を確保することができて従来の片接触などの問題点を解消することができる技術的特徴及び効果を有しているが、前記作動溝とスライド体の両側面には偏心駆動によるカムドライブとカムスライドの各スライド面が相互定位置で移送調整されて片接触防止と共に円滑な面接触がなされるようにするための過多間隙が形成されているし、前記のように形成された過多間隙の間でほこりや異物などが割りこむ場合、これを通じて結合誤差や配置誤差による偏心駆動によってカムスライドとカムドライブの各スライド面が片接触されることを遮断するための定位置移送調整作用が円滑になされなくて、これによる前記カムスライドとカムドライブの各スライド面が片接触された状態で面接触をなしながらＡ方向にスライド移送されるなど前記エアリアルカムユニット全体が不安定な作動状態をなすしかない大きな問題点があった。
【０００６】
また、前記のように偏心駆動によるカムスライドとカムドライブの片接触時にスプリングに内挿された状態でスライド体の半円周溝に装着された案内棒は定位置に位置されるが、前記スプリングはカムスライドとカムドライブの各スライド面に対する偏心された量程度スライド体と共にＢ方向のうちで一側に偏心移送されることによって、偏心駆動によるカムスライドとカムドライブの片接触時に案内棒とスプリングとの間の干渉がなされるようになりながら、これも前記エアリアルカムユニット全体が不安定な作動状態をなすしかなくなる問題点もあった。
【０００７】
そして、従来のエアリアルカムユニットにおいて、また他の実施例として前記のようにカムスライド支持ベースのベース本体に形成された作動溝の両側面とカムスライドのスライド体の両側面の間に形成された過多間隙に滑り板と共にカムスライド支持ベースまたはカムスライドにねじによって固着した板スプリングまたはウレタンゴム板でなされる弾性手段を配置構成する場合、前記過多間隙の間でほこりや異物などが割りこむことを防止することはできるが、このような過多間隙に対するほこりや異物流入防止と共に前記カムスライド支持ベースのベース本体からスライド体のスライド移送作用が円滑になされるようにするための別途の部材、すなわち、滑り板と弾性手段が必須に設置されなければならないなど相対的に別途部材の具備による構造自体が複雑になるしかない問題点を有しているし、これと併せて前記のように複雑な構造的問題点による生産及び組み立て工程の増加と併せて、これを通じた生産及び販売単価も上昇するしかなくなるなどの付随的な問題点も連続的に導出されるようになる。
【先行技術文献】
【特許文献】
【０００８】
【特許文献１】韓国特許登録番号第０６０７０４７号
【発明の概要】
【発明が解決しようとする課題】
【０００９】
前記のような従来の問題点を解消するために案出された本発明は、カムドライブ支持ベース、カムドライブ、カムスライド、カムスライド支持ベース、復帰手段でなされたエアリアルカムユニットのうちで前記カムスライド支持ベースのベース本体に形成された作動溝に内挿されてＡ方向である前、後に直線移送されるカムスライドのスライド体と前記スライド体の下端にスライド可能に対応位置されたカムスライド本体の間にカムスライドの偏心駆動防止手段を設置すると共に、前記偏心駆動防止手段を通じて前記スライド体とカムスライド本体が相互締結固定されるように構成するによって上形ベースの下降作用によるカムスライドのスライド面がカムドライブのスライド面に対応接触される時、偏心によるカムスライドとカムドライブの各スライド面が同一線上に位置されることができずに左、右側のうちで一側にかたよって片接触されることを防止すると共に定位置に移送調整してカムスライドが、安定的にスライド作用がなされるようにすることにその目的がある。
【００１０】
また、本発明の場合前記カムスライド支持ベースのベース本体に形成された作動溝と該作動溝に内挿された状態でＡ方向である前、後に直線移送されるカムスライドのスライド体の両側面の間が差し込み公差程度の間隙でなされているために従来のエアリアルカムユニットのように前記作動溝とスライド体の両側面に過多間隙の形成と共に前記過多間隙の間でほこりや異物が割りこんで、これを通じて結合誤差や配置誤差による偏心駆動によってカムスライドとカムドライブの各スライド面が片接触されることを遮断するための定位置移送調整作用が円滑になされないなどエアリアルカムユニット全体に対する不安定な作動状態を解消すると共に、前記偏心によるカムスライドとカムドライブの片接触時にスプリングに内挿された状態でスライド体の半円周溝に装着されたガイドスクリューとスプリングとの間の干渉を遮断しながら前記片接触時にもガイドスクリューに対するスプリングを定位置で維持させることができるようにすることに他の目的がある。
【００１１】
そして、本発明の場合前記作動溝とスライド体の両側面に形成された過多間隙を塞ぐための別途の部材らを使用することも防止することによって従来のエアリアルカムユニットのように前記過多間隙の間に別途部材の設置使用による不必要で複雑な構造的問題点を単純な構造で改善させると共に、前記単純構造への改善による技術的特徴である生産及び組み立て工程の短縮を含めて、これを通じた生産及び販売単価も節減することができる付随的効果も得ることができるようにすることにまた他の目的がある。
【００１２】
これと併せて、本発明の場合前記のようにカムスライドのスライド体とカムスライド本体との間に設置されたカムスライドの偏心駆動防止手段を通じて単純構造のエアリアルカムユニットを構成することによって、このような単純構造だけでも従来のエアリアルカムユニットで発生されたピアシングパンチとボタンダイの切削刃に対する刃合わせの簡便な利点をいかすことができると共に、上形ベースに対するカムスライド支持ベースの結合誤差及び前記カムスライド支持ベースに対するカムスライドの結合誤差や、プレス金型の上形と下形の配置誤差による偏心駆動でピアシングパンチがボタンダイの周りに衝突して破損されることを防止することができるなどの同一な技術的特徴も共に取り揃えることができるようにすることに対するまた他の目的もある。
【課題を解決するための手段】
【００１３】
本発明に対するカムスライドの偏心駆動防止手段が具備されたエアリアルカムユニットカム装置は、Ｖ字断面形状のスライド面を有してカムドライブ支持ベースに固定されるカムドライブと、該カムドライブのスライド面にスライディング可能になるように接触されると共に前記スライド面と対応される同一断面形状のスライド面を有するカムスライドと、該カムスライドのスライド面とカムドライブのスライド面が接触されて、前記カムドライブのスライド面に沿ってカムスライドのスライド作用がなされるように前記カムスライドを支持するカムスライド支持ベースで構成されて、前記カムスライド支持ベースが固定された上形側上形ベースの下降時にカムドライブのスライド面にカムスライドのスライド面が対応接触されて、前記カムドライブのスライド面に沿ってカムスライドが前、後でスライド作動するエアリアルカムユニットにおいて、前記上形ベースの下降作用によるカムスライドのスライド面がカムドライブのスライド面に対応接触される時、偏心によるカムスライドとカムドライブの各スライド面が同一線上に位置されることができずに左、右側のうちで一側にかたよって片接触されることを防止すると共に定位置に移送調整してカムスライドがスライドされるように前記カムスライド支持ベースのベース本体に形成された作動溝に内挿されて、前、後直線移送されるカムスライドのスライド体と、該スライド体の下端にスライド可能に対応位置されたカムスライド本体の間にカムスライドの偏心駆動防止手段がさらに具備されると共に、前記偏心駆動防止手段を通じて前記スライド体とカムスライド本体が相互締結固定されたことを特徴とする。
【発明の効果】
【００１４】
このような本発明によれば、カムスライドのスライド体とカムスライド本体との間に設置されたカムスライドの偏心駆動防止手段を通じて上形ベースの下降作用によるカムスライドのスライド面がカムドライブのスライド面に対応接触される時、偏心によるカムスライドとカムドライブの各スライド面が同一線上に位置されることができずに左、右側のうちで一側にかたよって片接触されることを防止すると共に定位置に移送調整してカムスライドが、安定的にスライド作用がなされることができるなどの卓越な効果がある。
【００１５】
また、前記カムスライド支持ベースのベース本体に形成された作動溝とカムスライドのスライド体の両側面の間が差し込み公差程度の間隙でなされているために従来のエアリアルカムユニットのように前記作動溝とスライド体の両側面に過多間隙の形成と共に、前記過多間隙の間でほこりや異物が割りこんで、これを通じて結合誤差や配置誤差による偏心駆動によってカムスライドとカムドライブの各スライド面が片接触されることを遮断するための定位置移送調整作用が円滑になされないなどエアリアルカムユニット全体に対する不安定な作動状態を解消すると共に、前記偏心によるカムスライドとカムドライブの片接触時にスプリングに内挿された状態でスライド体の半円周溝に装着されたガイドスクリューとスプリングとの間の干渉を遮断しながら前記片接触時にもガイドスクリューに対するスプリングを定位置に維持させることができるなどの効果もある。
【００１６】
そして、前記作動溝とスライド体の両側面に形成された過多間隙を塞ぐための別途の部材らを使用することも防止することによって従来のエアリアルカムユニットのように前記過多間隙の間に別途部材の設置使用による不必要で複雑な構造的問題点を単純な構造で改善させると共に、前記単純構造への改善による技術的特徴である生産及び組み立て工程の短縮を含めて、これを通じた生産及び販売単価も節減することができる付随的効果も得ることができる。
【００１７】
これと併せて、前記のようにカムスライドのスライド体とカムスライド本体との間に設置されたカムスライドの偏心駆動防止手段を通じて単純構造のエアリアルカムユニットを構成することによって、このような単純構造だけでも従来のエアリアルカムユニットで発生されたピアシングパンチとボタンダイの切削刃に対する刃合わせの簡便な利点をいかすことができると共に、上形ベースに対するカムスライド支持ベースの結合誤差及び前記カムスライド支持ベースに対するカムスライドの結合誤差や、プレス金型の上形と下形の配置誤差による偏心駆動でピアシングパンチがボタンダイの周りに衝突して破損されることを防止することができるなどの等しい技術的特徴も一緒に取り揃えることができる。
【図面の簡単な説明】
【００１８】
【図１】プレスの上、下形の間に本発明のエアリアルカムユニットが設置された状態を概略的に示した側断面図である。
【図２】本発明のエアリアルカムユニットに対するI-I線による断面図及び一部拡大図である。
【図３】本発明のエアリアルカムユニットに対する拡大断面図である。
【図４】本発明に対するエアリアルカムユニットの一般的な作動過程を示した状態図である。
【図５】本発明に対するエアリアルカムユニットの偏心による作動過程を示した状態図である。
【図６】同じく、本発明に対するエアリアルカムユニットの偏心による作動過程を示した状態図である。
【図７】同じく、本発明に対するエアリアルカムユニットの偏心による作動過程を示した状態図である。
【発明を実施するための形態】
【００１９】
本発明に対するカムスライドの偏心駆動防止手段が具備されたエアリアルカムユニット(以下、エアリアルカムユニットと称する)を添付された図面と対比して詳しく説明する。
【００２０】
図１はプレスの上、下形の間に本発明のエアリアルカムユニットが設置された状態を概略的に示した側断面図であり、図２は本発明のエアリアルカムユニットに対するI-I線による断面図及び一部拡大図を示したものであり、図３は本発明のエアリアルカムユニットに対する拡大断面図を示したものである。
【００２１】
本発明のエアリアルカムユニット１は、カムドライブ３によってカムスライド５をすべり運動させて、カムスライド５に装着されたピアシングパンチ２１とボタンダイ１１１の対応作用を通じて鉄板などの被加工物をパンチングする装置であり、図１に示したところのように大きくＶ字断面形状のスライド面２を有してカムドライブ３の支持ベースである下形ベース１５に固定されるカムドライブ３と、前記カムドライブ３のスライド面２にスライディング可能になるように接触されると共に前記スライド面２と対応される同一断面形状のスライド面４を有するカムスライド５と、該カムスライド５のスライド面４とカムドライブ３のスライド面２が接触されて前記カムドライブ３のスライド面２に沿ってカムスライド５が前方であるＡ方向にスライド作用がなされるように前記カムスライド５を移動可能に支持するカムスライド支持ベース６と、前記カムスライド５のスライド面４とカムドライブ３のスライド面２が分離して非接触時に前記カムスライド５を初期位置に復帰させる復帰手段７で構成されている。
【００２２】
前記のように構成された本発明のエアリアルカムユニット１に対する作動過程、すなわち、前記カムスライド支持ベース６が固定された上形９２側上形ベース９３の昇、下降作用によって相互接触されたカムドライブ３のスライド面２からカムスライド５のスライド面４が分離上昇されるか、またはカムドライブ３のスライド面２にカムスライド５のスライド面４が相互対応接触されて、前記カムドライブ３のスライド面２に沿ってカムスライド５が前、後でスライド直線移送されるエアリアルカムユニット１の作動過程のうちで前記上形ベース９３の下降作用によるカムスライド５のスライド面４がカムドライブ３のスライド面２に対応接触される時、偏心によるカムスライド５のスライド面４がカムドライブ３のスライド面２と同一線上に位置されることができずに一側にかたよられた状態で相互接触されることを防止するように図２及び図３に示したところのように前記カムスライド支持ベース６のベース本体４４に形成された作動溝４２に内挿されて、Ａ方向である前、後に直線移送されるカムスライド５のスライド体２４と該スライド体２４の下端にスライド可能に対応位置されたカムスライド本体２２の間にカムスライド５の偏心駆動防止手段５０を設置すると共に、前記偏心駆動防止手段５０を通じて前記スライド体２４とカムスライド本体２２が相互締結固定されている。
【００２３】
ここで、前記カムドライブ３と、カムスライド５及びカムスライド支持ベース６の場合、２００６年０７月２４日付けで特許登録されたカム装置(特許登録番号第０６０７０４７号)の構成要素であるカムドライブ３、カムスライド５、カムスライド支持ベース(６)とそれぞれ同一構造でなされているが、この時前記カムドライブ３の場合Ｖ字形状の断面のスライド面２が上面に形成されたカム板１１と、上面カム板１１がねじ１２などによって固定されたカムベース１３を具備して、前記カムベース１３がねじ１４などによってカムドライブ３の支持ベースを構成する下形ベース１５に結合されて固定支持される構造でなされている。
【００２４】
また、前記カムスライド５の場合前面にピアシングパンチ２１が結合されると共にＶ字形状の断面のスライド面４が形成されたカムスライド本体２２と、カムスライド支持ベース６のベース本体４４に形成された作動溝４２にスライド可能に設置されたスライド体２４と、前記カムスライド本体２２とスライド体２４との間に決着されて前記カムスライド本体２２に対するスライド体２４が前方であるＡ方向にすべり防止のためのキー部材２８と、前記スライド体２４の後端に結合されて復帰手段７の復帰力によってカムスライド支持ベース６の後壁４８にスプリング下敷部２９が衝突することを防止するためのゴムなどの弾性体(図示せず)でなされているが、このうちで前記スライド体２４の場合前記カムスライド支持ベース６のベース本体４４両側下端にねじ固定されたカムスライド離脱防止板２５によって上端の係止がなされるように全体形状が“Ｔ”字形態をなしながら上端及び後端には半円周溝２６と共にスプリング７１を支持するためのスプリング下敷部２９がそれぞれ形成されると共にその下部がカムスライド本体２２の上端に形成された溝部３１に設置されて、偏心駆動防止手段５０のうちでスライド体固定ボルト３２などによってカムスライド本体２２に固定されている。
【００２５】
そして、前記カムスライド支持ベース６の場合一対の側壁４１とその一対の側壁４１上端に凹形態の作動溝４２が一体で連結されたベース本体４４と、該ベース本体４４の両側下端にねじ固定されると共にスライド体２４の下端にスライド可能に挟み結合されて、前記ベース本体４４からスライド体２４が分離離脱されることを防止する一対のカムスライド離脱防止板２５と、前記ベース本体４４の作動溝４２後端を閉鎖するように一対の側壁４１にねじ４６などによって設置固定された後壁４８でなされているが、このうちで前記ベース本体４４の場合ねじ９１などによって上形９２の上形ベース９３に固定されていて、前記上形ベース９３はねじ９４などによって油圧ラム９５などに結合されて昇、下降が可能になるようになっている。また下形９６の下形ベース１５に結合された案内ポスト９７に沿って上形ベース９３が上昇及び降りながら下形ベース１５に対して案内されて位置決定されるようになる。
【００２６】
これと併せて、前記復帰手段７の場合ベース本体４４の下端前方に傾いて形成された前壁４７とスライド体２４後端のスプリング下敷部２９との間に支持されたスプリング７１と、相互分離した一対のねじが前記スプリング７１内に挿入された状態でベース本体４４の前壁４７とスライド体２４後端のスプリング下敷部２９にそれぞれ締結されて、スプリング７１の撓みを防止及び弾性力を調節するためのガイドスクリュー７２でなされているが、この時前記スプリング７１の場合弾性力によってカムスライド５がいつも後壁４８に向けるように弾性支持されている。
【００２７】
一方、前記のように構成されたエアリアルカムユニット１において、前記カムスライド支持ベース６の構成要素のうちで作動溝４２両側に連結されるベース本体４４の両側壁４１にはスライド体２４の両側面がスライド移送可能な差し込み公差として離隔されるように設置されると共に、前記上形ベース９３の下降作用時に偏心状態でカムスライド５のスライド面４がカムドライブ３のスライド面２に対応接触されても、前記カムスライド５のライド体２４とカムスライド本体２２との間に設置されたカムスライド５の偏心駆動防止手段５０を通じて前記ベース本体４４の作動溝４２と対応されるスライド体２４の上端中央に設置されたスプリング７１及びスライド体２４が前記カムスライド支持ベース６のベース本体４４内で左、右側のうちで一側に偏らないで中心が定位置に維持される状態で構成されている。
【００２８】
ここで、前記カムスライドの偏心駆動防止手段５０は、図２に示したところのように上端中央に作動溝４２と対応される半円周溝２６が具備されたスライド体２４の内部中央に貫通されたボルト挿入ホール５１と、
前記ボルト挿入ホール５１を通じて挿入貫通されると共に直径段差を有しながらカムスライド本体２２に末端が締結されるスライド体固定ボルト３２と、前記カムスライド本体２２の上端にスライド体固定ボルト３２の末端が締結されるように形成されたボルト締結ホール５２と、前記ボルト挿入ホール５１とスライド体固定ボルト３２の間の直径差によって形成されて、上形ベース９３の下降作用によるカムスライド５のスライド面４がカムドライブ３のスライド面２に対応接触時に偏心によるカムスライド５のスライド面４がカムドライブ３のスライド面２と同一線上に位置されることができずに左、右側のうちで一側にかたよって片接触されることを防止すると共に定位置に移送調整する間隙５３で構成されている。
【００２９】
また、前記ボルト挿入ホール５１を通じたカムスライド本体２２のボルト締結ホール５２にスライド体固定ボルト３２の締結時に前記ボルト締結ホール５２の深さ程度スライド体固定ボルト３２の頭部下端がボルト挿入ホール５１の上端から突出離隔されて間隙５５が形成されている。
【００３０】
これと併せて、前記スライド体固定ボルト３２の頭部３３下端にはボルト挿入ホール５１の頭系止部５１a下に前記スライド体固定ボルト３２の頭部３３が抜け出ることを防止するためのワッシャー５４が設置されている。
【００３１】
以下、本発明に対するエアリアルカムユニット１の作動過程を添付された図面と対比して、その実施例を望ましく説明すれば次のようである。
【００３２】
図４は、本発明に対するエアリアルカムユニットの一般的な作動過程を示した状態図であり、図５乃至図７は、本発明に対するエアリアルカムユニットの偏心による作動過程を示した状態図である。
【００３３】
先ず、本発明に対するエアリアルカムユニット１の全体的な一般的作動過程として、油圧ラム９５の上昇作動を通じて本発明のエアリアルカムユニット１のうちでカムスライド支持ベース６及びカムスライド５が固定された上形ベース９３が上昇するようになれば、図４に示したところのように相互すべり接触されたカムドライブ３のスライド面２とカムスライド５のスライド面４が相互分離離脱されると共に前記上形ベース９３の下降作用によってカムドライブ３のスライド面２に沿って前方に滑ってスライドされたカムスライド５は、復帰手段７の弾性作用を通じて反対方向である後方にスライド移送されながら初期位置に復帰されるようになって、これと反対に前記油圧ラム９５の下降作動を通じてカムスライド５支持ベース及びカムスライド５が固定された上形ベース９３が降りるようになれば、図５に示したところのように前記上形ベース９３に固定されたカムスライド支持ベース６及びカムスライド５も降りるようになりながら前記カムスライド５のスライド面４がカムドライブ３のスライド面２に接触すると共に前記カムスライド５がカムドライブ３のスライド面２に沿って滑りながら前方であるＡ方向に進むようになって、前記のようにカムドライブ３のスライド面２に沿って前方に滑ってスライドされたカムスライド５、すなわち、前記カムスライド５の前面に装着されたピアシングパンチ２１が下形ベース１５に装着されたボタンダイ１１１の貫通孔１１２を貫通するパンチング作用を通じて前記ボタンダイ１１１に位置された鉄板などの被加工物を所定の穴大きさで穿孔するようになる。
【００３４】
一方、本発明に対するエアリアルカムユニット１の作動過程のうちで、図５に示したところのように、上形ベース９３に対するカムスライド支持ベース６の結合誤差、前記カムスライド支持ベース６に対するカムスライド５の結合誤差、及び上形９２と下形９６の配置誤差によって上形ベース９３の下降作用によるカムスライド５のスライド面４がカムドライブ３のスライド面２に対応接触される時、図６に示したところのように偏心によるカムスライド５とカムドライブ３の各スライド面４、２自体が左、右側のうちで一側にかたよられてお互いに片接触がなされるようになれば、図７に示したところのようにカムスライド支持ベース６の構成要素のうちで作動溝４２両側に連結されるベース本体４４の両側壁にスライド体２４の両側面がスライド移送可能な差し込み公差として離隔されるように設置されることによって前記カムスライド支持ベース６のベース本体４４とカムスライド５のスライド体２４及びスプリング７１が同心を維持した状態で前記カムスライド５のスライド体２４とカムスライド本体２２との間に設置されたカムスライド５の偏心駆動防止手段５０、すなわち、前記ベース本体４４の作動溝４２と対応される半円周溝２６が上端中央に具備されたスライド体２４の内部中央に貫通されたボルト挿入ホール５１とスライド体固定ボルト３２との間の直径差によって形成された間隙５３及び前記ボルト挿入ホール５１を通じたカムスライド本体２２のボルト締結ホール５２にスライド体固定ボルト３２の締結時に前記ボルト締結ホール５２の深さ程度スライド体固定ボルト３２の頭部３３下端がボルト挿入ホール５１の上端から突出離隔されて形成された間隙５５を通じて前記上形ベース９３の下降作用によるカムスライド５のスライド面４がカムドライブ３のスライド面２に対応接触時に偏心によるカムスライド５のスライド面４がカムドライブ３のスライド面２と同一線上に位置されることができずに左、右側のうちで一側にかたよって片接触されることを防止すると共に定位置に移送調整がなされることによって前記カムスライド５のスライド面４がカムドライブ３のスライド面２に片接触されることなしに定位置に接触すると共に前記カムスライド５がカムドライブ３のスライド面２に沿って滑りながら前方であるＡ方向に進むようになって、前記のようにカムドライブ３のスライド面２に沿ってカムスライド５が前方に滑ってスライドされると共に、この過程を通じて前記カムスライド５の前面に装着されたピアシングパンチ２１が下形ベース１５に装着されたボタンダイ１１１の貫通孔１１２を貫通するパンチング作用を通じて前記ボタンダイ１１１に位置された鉄板などの被加工物を所定の穴大きさで穿孔するようになる。
【００３５】
よって、本発明に対するエアリアルカムユニット１の場合上形ベース９３からカムスライド支持ベース６及びカムスライド５を分離させた状態で優先的にカムドライブ３上にカムスライド５を乗せた後、前記カムスライド５の前面に結合されるピアシングパンチ２１と下形ベース１５に設置されたボタンダイ１１１との間の位置調整による相互間の同心を合わせるとしても前記カムスライド支持ベース６にカムスライド５を結合固定させた後に前記ピアシングパンチ２１とボタンダイ１１１との間の位置合わせを再び修正するか、または前記カムスライド５のスライド面４と前記カムドライブ３のスライド面２の間の片接触を解消するために前記カムスライド５とカムドライブ３の各スライド面４、２を削り出す別途の加工が必要なくなるなどの技術的特徴を有する。
【００３６】
以上でのように上述した実施例は、本発明の一番望ましい例に対して説明したものであるが、前記実施例にだけ限定されるものではなくて、本発明の技術思想を脱しない範囲内で多様な変形が可能であるということは当業者において明白なものである。
【００３７】
このように、本発明は、カムスライドの偏心駆動防止手段が具備されたエアリアルカムユニットに関するものである。
【００３８】
本発明のエアリアルカムユニットは、上形ベースの下降作用によるカムスライドのスライド面がカムドライブのスライド面に対応接触される時、偏心によるカムスライドとカムドライブの各スライド面が同一線上に位置されることができずに左、右側のうちで一側にかたよって片接触されることを防止すると共に定位置に移送調整してカムスライドがスライドされるように前記カムスライド支持ベースのベース本体に形成された作動溝に内挿されて、前、後直線移送されるカムスライドのスライド体と、該スライド体の下端にスライド可能に対応位置されたカムスライド本体の間にカムスライドの偏心駆動防止手段がさらに具備されると共に、前記偏心駆動防止手段を通じて前記スライド体とカムスライド本体が相互締結固定されたことを特徴とする。したがって、本発明によれば、上形ベースの下降作用によるカムスライドのスライド面がカムドライブのスライド面に対応接触される時、偏心によるカムスライドとカムドライブの各スライド面が同一線上に位置されることができずに左、右側のうちで一側にかたよって片接触されることを防止すると共に定位置に移送調整して、カムスライドが、安定的にスライド作用がなされるようにして、特に、前記カムスライド支持ベースのベース本体に形成された作動溝と該作動溝に内挿された状態でＡ方向である前、後で直線移送されるカムスライドのスライド体の両側面の間が差し込み公差程度の間隙でなされているために従来のエアリアルカムユニットのように前記作動溝とスライド体の両側面に形成された過多間隙の間でほこりや異物が立ち込めて、これを通じて結合誤差や配置誤差の偏心によるカムスライドとカムドライブの各スライド面が片接触されることを遮断するための定位置移送調整作用が円滑になされないなどエアリアルカムユニット全体に対する不安定な作動状態を解消することはもちろん、前記偏心によるカムスライドとカムドライブの片接触時にスプリングに内挿された状態でスライド体の半円周溝に装着されたガイドスクリューとスプリングとの間の干渉を遮断しながら前記片接触時にもガイドスクリューに対するスプリングを定位置に維持させることができるようにすると共に、前記作動溝とスライド体の両側面に形成された過多間隙を塞ぐための別途の部材らを使用することも防止して前記過多間隙の間に別途部材の設置使用による不必要で複雑な構造的問題点を単純な構造で改善させることができるなどの卓越な効果がある。
【符号の説明】
【００３９】
１  エアリアルカムユニット
２、４  スライド面
３  カムドライブ
５  カムスライド
６  カムスライド支持ベース
７  復帰手段
１１  カム板
１３  カムベース
１５  下形ベース
２１  ピアシングパンチ
２２  カムスライド本体
２４  スライド体
２５  カムスライド離脱防止板
２６  半円周溝
２８  キー部材
２９  スプリング下敷部
３１  溝部
３２  スライド体固定ボルト
４２  作動溝
４４  ベース本体
４７  前壁
４８  後壁
５０  偏心駆動防止手段
５１  ボルト挿入ホール
５２  ボルト締結ホール
５３、５５  間隙
５４  ワッシャー
７１  スプリング
７２  ガイドスクリュー
９２  上形
９３  上形ベース
９５  油圧ラム
９６  下形
９７  案内ポスト
１１１  ボタンダイ
【図１】
2012166266.tif 000003
【図２】
2012166266.tif 000004
【図３】
2012166266.tif 000005
【図４】
2012166266.tif 000006
【図５】
2012166266.tif 000007
【図６】
2012166266.tif 000008
【図７】
2012166266.tif 000009